(57)【特許請求の範囲】
【請求項１】
アンテナを内蔵した時計モジュールと、
この時計モジュールを収納すると共に下面に裏蓋が取り付けられた時計ケースと、
前記時計モジュールの下面に配置されて前記裏蓋によって押えられることにより、前記時計モジュールを前記時計ケース内に位置決めして押える押え部材と、
この押え部材に前記時計モジュールの前記アンテナと対応して配置された磁性シート部材と
を備えていることを特徴とする時計装置。
【請求項２】
前記磁性シート部材は、前記アンテナの下面に対応して配置された第１磁性シートと、前記アンテナの側面に対応して配置された第２磁性シートとを備えていることを特徴とする請求項１に記載の時計装置。
【請求項３】
前記磁性シート部材は、１枚の磁性シートを折り曲げることにより、前記第１磁性シートと前記第２磁性シートとが一体に形成されていることを特徴とする請求項２に記載の時計装置。
【請求項４】
前記押え部材には、前記第１磁性シートを位置決めする第１位置規制部と、前記第２磁性シートを位置決めする第２位置規制部とが設けられていることを特徴とする請求項２または３に記載の時計装置。
【請求項５】
前記押え部材には、前記第１磁性シートを位置決めして収納する第１収納凹部と、前記第２磁性シートを位置決めして収納する第２収納凹部とが設けられていることを特徴とする請求項２または３に記載の時計装置。
【請求項６】
前記磁性シート部材は前記押え部材にインサート成形によって一体に設けられていることを特徴とする請求項１〜３のいずれかに記載の時計装置。
【請求項７】
アンテナを内蔵した時計モジュールと、
この時計モジュールを収納すると共に下面に裏蓋が取り付けられた時計ケースと、
前記時計モジュールの下面に配置されて前記裏蓋によって押えられることにより、前記時計モジュールを前記時計ケース内に位置決めして押える押え部材とを備え、
この押え部材には磁性材が混入されており、この磁性材は、前記押え部材における前記時計モジュールの前記アンテナと対応する箇所のみに混入されていることを特徴とする時計装置。
【発明の詳細な説明】
【技術分野】
【０００１】
この発明は、電波を受信するアンテナを備えた電子腕時計などの時計装置に関する。
【背景技術】
【０００２】
例えば、電子腕時計には、アンテナを備えた電波時計がある。この種の電子腕時計は、特許文献１に記載されているように、合成樹脂製の腕時計ケースの外周部にバンド取付部を外部に突出させて設け、この外部に突出したバンド取付部内にアンテナ収納部を設け、このアンテナ収納部内にアンテナを収納することにより、アンテナを腕時計ケースの外部に配置させてアンテナが金属製の裏蓋による電波障害を受けないように構成されている。
【特許文献１】特開２００２−９８７８０号
【発明の開示】
【発明が解決しようとする課題】
【０００３】
しかしながら、このような従来の電子腕時計では、アンテナが裏蓋による電波障害を受けないように、アンテナを腕時計ケースの外部に配置しなければ、アンテナの受信性能を確保することができないという問題がある。このため、アンテナによって腕時計ケースが制約を受け、腕時計全体の外観やデザイン性が損なわれるばかりか、アンテナと時計モジュールとを別々に組み付けなければならず、しかもその両者を電気的に接続しなければならないため、組立作業が煩雑で面倒であるなどの問題が生じる。
【０００４】
この発明が解決しようとする課題は、時計ケース内に収納される時計モジュールにアンテナを設けることができる共に、アンテナの受信性能を確保することができる時計装置を提供することである。
【課題を解決するための手段】
【０００５】
この発明は、上記課題を解決するために、次のような構成要素を備えている。
なお、各構成要素には、後述する各実施形態の項で説明される各要素に付されている図面の参照番号などを括弧と共に付す。
【０００６】
請求項１に記載の発明は、図１〜図１３に示すように、アンテナ（８）を内蔵した時計モジュール（４）と、この時計モジュールを収納すると共に下面に裏蓋（６）が取り付けられた時計ケース（腕時計ケース１）と、前記時計モジュールの下面に配置されて前記裏蓋によって押えられることにより、前記時計モジュールを前記時計ケース内に位置決めして押える押え部材（５）と、この押え部材に前記時計モジュールの前記アンテナと対応して配置された磁性シート部材（１２、２５）とを備えていることを特徴とする時計装置である。
【０００７】
請求項２に記載の発明は、図１〜図１３に示すように、前記磁性シート部材（１２、２５）が、前記アンテナ（８）の下面に対応して配置された第１磁性シート（１３、２６）と、前記アンテナの側面に対応して配置される第２磁性シート（１４、２７）とを備えていることを特徴とする請求項１に記載の時計装置である。
【０００８】
請求項３に記載の発明は、図１１および図１２に示すように、前記磁性シート部材（２５）は、１枚の磁性シートを折り曲げることにより、前記第１磁性シート（２６）と前記第２磁性シート（２７）とが一体に形成されていることを特徴とする請求項２に記載の時計装置である。
【０００９】
請求項４に記載の発明は、図１〜図９に示すように、前記押え部材（５）に、前記第１磁性シート（１３）を位置決めする第１位置規制部（段差凹部１５、１８）と、前記第２磁性シート（１４）を位置決めする第２位置規制部（切欠け部１７）とが設けられていることを特徴とする請求項２または３に記載の時計装置である。
【００１０】
請求項５に記載の発明は、図１０〜図１２に示すように、前記押え部材（５）に、前記第１磁性シート（１３、２６）を位置決めして収納する第１収納凹部（２０）と、前記第２磁性シート（１４、２７）を位置決めして収納する第２収納凹部（２２）とが設けられていることを特徴とする請求項２または３に記載の時計装置である。
【００１１】
請求項６に記載の発明は、図１３に示すように、前記磁性シート部材（１２、２５）が前記押え部材（５）にインサート成形によって一体に設けられていることを特徴とする請求項１〜３のいずれかに記載の時計装置である。
【００１２】
請求項７に記載の発明は、図１４および図１５に示すように、アンテナ（８）を内蔵した時計モジュール（４）と、この時計モジュールを収納すると共に下面に裏蓋（６）が取り付けられる時計ケース（腕時計ケース１）と、前記時計モジュールの下面に配置されて前記裏蓋によって押えられることにより、前記時計モジュールを前記時計ケース内に位置決めして押える押え部材（３０）とを備え、この押え部材には磁性材（３１）が混入されており、この磁性材（３１）が、前記押え部材（３０）における前記時計モジュール（４）の前記アンテナ（８）と対応する箇所のみに混入されていることを特徴とする時計装置である。
【発明の効果】
【００１４】
請求項１に記載の発明によれば、時計ケース内に収納された時計モジュールの下面に配置された押え部材によって、時計モジュールを時計ケース内に位置決めすることができると共に、時計ケースの下面に取り付けられた裏蓋によって押え部材が時計モジュールを時計ケース内に押え付けることができるほか、この押え部材には磁性シート部材が時計モジュールに内蔵されたアンテナに対応して設けられているので、裏蓋および時計ケースが金属製であっても、磁性シート部材によってアンテナが裏蓋および時計ケースによる電波障害の影響を受けないようにすることができ、これにより時計ケース内に収納される時計モジュールにアンテナを設けても、アンテナの受信性能を確保することができる。
【００１５】
請求項２に記載の発明によれば、磁性シート部材が、アンテナの下面に対応して配置された第１磁性シートと、アンテナの側面に対応して配置された第２磁性シートとを備えていることにより、裏蓋が金属製であっても、第１磁性シートによって裏蓋による電波障害を防ぐことができると共に、時計ケースが金属製であっても、第２磁性シートによって時計ケースによる電波障害を防ぐことができ、これによりアンテナの受信性能を確保することができる。
【００１６】
請求項３に記載の発明によれば、磁性シート部材が１枚の磁性シートを折り曲げることにより、第１磁性シートと第２磁性シートとを一体に形成した構成であることにより、第１磁性シートと第２磁性シートとの両者の連結部分に隙間が生じないため、請求項２に記載の発明によりも、金属製の裏蓋および金属製の時計ケースによる電波障害を確実に防ぐことができ、これによりアンテナの電波受信性能を更に確保することができるほか、特に第１磁性シートと第２磁性シートとが一体に形成されているので、磁性シート部材としての部品点数の増大を防ぐことができると共に、組込み作業の簡素化をも図ることができ、これにより生産性の向上を図ることができる。
【００１７】
請求項４に記載の発明によれば、押え部材に、第１磁性シートを位置決めする第１位置規制部と、第２磁性シートを位置決めする第２位置規制部とが設けられていることにより、第１、第２磁性シートを第１、第２位置規制部によってアンテナに対応する押え部材の所定位置に位置決めすることができる。このため、時計ケースの下面に裏蓋を取り付けるときに、裏蓋によって第１、第２磁性シートが位置ずれすることがなく、第１、第２磁性シートを正確にアンテナに対応させることができる。特に、裏蓋がその外周面に設けられた雄ねじを時計ケースの内周面に設けられた雌ねじに裏蓋を回転させながら螺着するねじ式構造の場合であっても、裏蓋の取付時における裏蓋の回転によって第１、第２磁性シートが位置ずれを起こすことがなく、第１、第２磁性シートを正確に且つ確実にアンテナに対応させることができる。
【００１８】
請求項５に記載の発明によれば、押え部材に、第１磁性シートを位置決めして収納する第１収納凹部と、第２磁性シートを位置決めして収納する第２収納凹部とが設けられていることにより、請求項４に記載の発明と同様、時計ケースに裏蓋を取り付けるときに、その裏蓋の影響を受けずに、第１、第２磁性シートを正確に且つ確実にアンテナに対応させることができるほか、特に第１、第２磁性シートが押え部材の第１、第２収納凹部に位置規制されて収納されているので、第１、第２磁性シートを押え部材に確実に固定することができる。
【００１９】
請求項６に記載の発明によれば、磁性シート部材が押え部材にインサート成形によって一体に設けられていることにより、請求項５に記載の発明と同様、第１、第２磁性シートをアンテナに対応させた状態で押え部材に正確に且つ確実に固定することができるほか、特に磁性シート部材が押え部材に対し別部品として存在しないため、部品点数を削減することができると共に、押え部材と同時に磁性シート部材を組み込むことができるので、より一層、組立作業性の向上を図ることができる。
【００２０】
請求項７に記載の発明によれば、請求項１に記載の発明と同様、押え部材によって時計モジュールを時計ケース内に位置決めして押えることができるほか、押え部材に磁性材が混入されており、この磁性材が、押え部材における時計モジュールのアンテナと対応する箇所のみに混入されていることにより、この押え部材によってアンテナが金属製の裏蓋および金属製の時計ケースによる電波障害の影響を受けないようにすることができ、これによりアンテナを時計ケース内に時計モジュールと共に組み込んでも、アンテナの受信性能を確保することができる。
【発明を実施するための最良の形態】
【００２２】
（実施形態１）
以下、図１〜図８を参照して、この発明の時計装置を電子腕時計に適用した一実施形態について説明する。
図１はこの発明を適用した電子腕時計の拡大断面図、図２はその電子腕時計の下面から裏蓋を取り外した状態の裏面図、図３は図２の電子腕時計から更に押え部材を取り外した状態の裏面図、図４は図３の時計モジュールを示した裏面図、図５および図６は図２の押え部材を示した各斜視図である。
【００２３】
この電子腕時計は、図１に示すように、上下に開放された金属製の腕時計ケース１を備えている。この腕時計ケース１の上部外周には、図１に示すように、ベゼル２が取り付けられていると共に、その上部の開放部には、時計ガラス３がパッキン３ａを介して取り付けられている。また、この腕時計ケース１の内部は、図２および図３に示すように、ほぼ円形状に形成されており、このほぼ円形状の内部には、ほぼ円形状の時計モジュール４が押え部材５によって位置決めされた状態で収納されている。さらに、この腕時計ケース１の下部には、図１に示すように、押え部材５を押える金属製の裏蓋６が防水リング６ａを介して取り付けられている。
【００２４】
この場合、時計モジュール４は、図４に示すように、合成樹脂製のハウジング７を備えている。このハウジング７は、全体がほぼ円形状に形成されており、このハウジング７には、アナログムーブメント（図示せず）が組み込まれているほか、図４に示すように、アンテナ８、釦電池９、および回路基板１０などの時計機能に必要な各種の部品が搭載されている。アンテナ８は、コアにコイルを巻き付けたものであり、腕時計ケース１を腕取り付けて使用する際に、電波を受信しやすい位置、つまりハウジング７の１２時側の箇所に設けられて回路基板１０と電気的に接続され、この状態で標準時刻電波を一定時間ごとに受信するように構成されている。
【００２５】
釦電池９は、図２〜図４に示すように、ハウジング７の９時付近に位置する箇所に設けられた電池収納部７ｂ内に収納されて電極板９ａによって回路基板１０と電気的に接続され、この状態で電源を回路全体に供給するように構成されている。回路基板１０は、図３および図４に示すように、アンテナ８に対応する部分が切り取られたほぼ半円形状に形成されている共に、釦電池９に対応する箇所に開口部１０ａが設けられた構成になっている。また、裏蓋６は、図１に示すように、腕時計ケース１内に嵌合する筒部６ｂが設けられ、この筒部６ｂの外周面に雄ねじ６ｃが設けられ、この雄ねじ６ｃが腕時計ケース１の内周面に設けられた雌ねじ１ａに裏蓋６を回転させながら螺着することにより、腕時計ケース１の下面に取り付けられている。
【００２６】
ところで、押え部材５は、図５〜図７に示すように、時計モジュール４の下面側に配置されて裏蓋６によって押えられることにより、時計モジュール４を腕時計ケース１内に押し付けて固定すると共に、時計モジュール４を腕時計ケース１内に位置決めするように構成されている。すなわち、この押え部材５は、合成樹脂からなり、図５および図６に示すように、時計モジュール４の下面とほぼ同じ大きさの円板状をなし、時計モジュール４の中央部および釦電池９などに対応する箇所に開口部５ａが設けられていると共に、下面における周縁部の複数箇所に裏蓋６の内面に点接触する突起５ｂがそれぞれ設けられた構成になっている。
【００２７】
この場合、押え部材５は、腕時計ケース１およびハウジング７よりも軟らかい合成樹脂材料で、且つ滑り性を有する合成樹脂材料によって形成されている。すなわち、腕時計ケース１は金属で形成されており、ハウジング７は硬質のポリエーテルイミド樹脂（ＰＥＩ樹脂）で形成されている。これに対して、押え部材５は、滑り性が良く、ハウジング７よりも軟らかいポリアセタール樹脂で形成されている。
【００２８】
また、この押え部材５の周縁部には、図５〜図７に示すように、複数の位置規制部１１が上方（図５および図６では下方）に向けて突出した状態でそれぞれ一体に形成されている。すなわち、複数の位置規制部１１は、図７（ａ）〜図７（ｃ）に示すように、押え部材５の外周部における２時、３時、５時、７時、９時、１０時付近に位置する箇所にそれぞれ設けられ、時計モジュール４のハウジング７の外周面に設けられた各位置決め凹部７ａに嵌合するように構成されている。また、複数の位置規制部１１のうち、少なくとも５時および７時付近に位置する位置規制部１１には、腕時計ケース１の内周面に設けられた位置決め凹部１ｂに嵌合する嵌合部１１ａがそれぞれ側方に突出して設けられている。
【００２９】
これにより、押え部材５は、腕時計ケース１内に時計モジュール４を収納した状態で、時計モジュール４の下面に配置されると、位置規制部１１が時計モジュール４のハウジング７の外周面に設けられた位置決め凹部７ａにそれぞれ嵌合することにより、時計モジュール４に対して位置決めされると共に、位置規制部１１の嵌合部１１ａが腕時計ケース１の内周面に設けられた位置決め凹部１ｂに嵌合することにより、腕時計ケース１に対して位置決めされ、これにより腕時計ケース１内での時計モジュール４の回転を阻止すると共に、時計モジュール４の横振れによるガタつきを阻止して、時計モジュール４を腕時計ケース１内に位置決めするように構成されている。
【００３０】
一方、この押え部材５には、図１、図５、図６に示すように、磁性シート部材１２が時計モジュール３のアンテナ８に対応して設けられている。すなわち、この磁性シート部材１２は、図１および図８に示すように、アンテナ８の下面に対応して配置される第１磁性シート１３と、アンテナ８の側面に対応して配置される第２磁性シート１４とを備えている。この第１、第２磁性シート１３、１４は、金属製の裏蓋６および金属製の腕時計ケース１による電波障害を防ぐためのものであり、ミクロン程度の大きさの金属磁性体粉末を樹脂中に分散・混合し、シート状に形成した複合磁性体を有し、この複合磁性体を保護シート１６で覆った構成になっている。
【００３１】
この場合、第１磁性シート１３は、図１および図８に示すように、押え部材５の下面（図５および図６では上面）にアンテナ８の下面と対応して設けられた段差凹部１５に複合磁性体が位置決めされて配置され、この状態で保護シート１６によって包み込まれ、これによりアンテナ８が金属製の裏蓋６による電波障害の影響を受けないように構成されている。また、第２磁性シート１４は、図８に示すように、複合磁性体を予め保護シート１６で覆ったものであり、図５〜図７に示すように、押え部材５の外周縁にアンテナ８の側面と対応して設けられた切欠け部１７内に配置されて位置決めされ、これによりアンテナ８が金属製の腕時計ケース１による電波障害の影響を受けないように構成されている。
【００３２】
すなわち、この第１、第２磁性シート１３、１４は、アンテナ８で発生した磁界の磁力線が第１、第２磁性シート１３、１４の表面だけに入り、その表面のみに渦電流が生じ、第１、第２磁性シート１３、１４の内部に入らず、磁力線が第１、第２磁性シート１３、１４の表面に沿って誘導され、その結果として磁力線が第１、第２磁性シート１３、１４を通り抜けるのを防ぐことにより、防磁効果としての機能を有し、アンテナ８で発生した磁力が金属製の裏蓋６および金属製の腕時計ケース１による電波障害の影響を受けないように構成されている。
【００３３】
このような電子腕時計によれば、腕時計ケース１内に時計モジュール４を収納するときに、時計モジュール４の下面に配置された押え部材５が裏蓋６によって押えられることにより、この押え部材５によって時計モジュール４を腕時計ケース１内に押え付けることができると共に、押え部材５の外周縁に設けられた複数の位置規制部１１によって時計モジュール４を腕時計ケース１内に位置決めすることができる。
【００３４】
すなわち、時計モジュール４の下面に押え部材５を配置すると、この押え部材５の外周部に設けられた複数の位置規制部１１が時計モジュール４のハウジング７の外周面に設けられた位置決め凹部７ａに嵌合すると共に、位置規制部１１の嵌合部１１ａが腕時計ケース１の内周面に設けられた位置決め凹部１ｂに嵌合することにより、腕時計ケース１内での時計モジュール４の回転を阻止することができると共に、時計モジュール４の横振れによるガタつきを阻止することができ、これにより時計モジュール４を腕時計ケース１内に正確に且つ確実に位置決めすることができる。
【００３５】
また、この電子腕時計では、押え部材５に磁性シート部材１２を時計モジュール４のアンテナ８に対応させて設けているので、裏蓋６および腕時計ケース１がそれぞれ金属製であっても、磁性シート部材１２によってアンテナ８が裏蓋６および腕時計ケース１による電波障害の影響を受けないようにすることができ、これによりアンテナ８を時計モジュール４に組み込んで腕時計ケース１内に収納しても、アンテナ８の受信性能を確保することができる。
【００３６】
すなわち、磁性シート部材１２は、アンテナ８の下面に対応して配置される第１磁性シート１３と、アンテナ８の側面に対応して配置される第２磁性シート１４とを備えているので、第１磁性シート１３によって金属製の裏蓋６による電波障害を防ぐことができると共に、第２磁性シート１４によって金属製の腕時計ケース１による電波障害を防ぐことができる。
【００３７】
このため、腕時計ケース１内に収納された時計モジュール４にアンテナ８を組み込んでも、アンテナ８の受信性能を確保することができる。これにより、アンテナ８によって腕時計ケース１が制約を受けることがなく、腕時計全体の外観やデザイン性が損なわれることがないばかりか、アンテナ８と時計モジュール４とを別々に腕時計ケース１に組み込む必要がなく、両者を電気的に接続した状態で、一度に組み込むことができるので、組立作業が簡単で、生産性の向上を図ることができる。
【００３８】
この場合、押え部材５には、第１磁性シート１３を位置決めする段差凹部１５と、第２磁性シート１４を位置決めする切欠け部１７とが設けられているので、第１磁性シート１３を段差凹部１５によってアンテナ８の下面に対応する押え部材５の所定位置に位置決めすることができると共に、第２磁性シート１４を切欠け部１７によってアンテナ８の側面に対応する押え部材５の所定位置に位置決めすることができる。このため、腕時計ケース１の下面に裏蓋６を取り付けるときに、裏蓋６によって第１、第２磁性シート１３、１４が位置ずれすることがなく、第１、第２磁性シート１３、１４を正確にアンテナ８に対応させることができる。
【００３９】
特に、裏蓋６が腕時計ケース１内に嵌合する筒部６ｂの外周面に雄ねじ６ｃを設け、この雄ねじ６ｃを腕時計ケース１の内周面に設けられた雌ねじ１ａに裏蓋６を回転させながら螺着するねじ式構造の場合であっても、第１磁性シート１３が段差凹部１５によって押え部材５に位置決めされていると共に、第２磁性シート１４が切欠け部１７によって押え部材５に位置決めされているので、裏蓋６の取付時における裏蓋６の回転によって第１、第２磁性シート１３、１４が位置ずれを起こすことがなく、第１、第２磁性シート１３、１４を正確に且つ確実にアンテナ８に対応させることができる。
【００４０】
なお、上記実施形態１では、押え部材５の下面（図５および図６では上面に）に第１磁性シート１３を位置決めする段差凹部１５を設けた場合について述べたが、これに限らず、例えば図９に示すように、押え部材５の上面に第１磁性シート１３を位置決めする段差凹部１８を設けても良い。このように構成すれば、第１磁性シート１３が裏蓋６に接触することがないので、より一層、第１磁性シート１３をアンテナ８の下面に対応させて正確に且つ良好に配置することができる。
【００４１】
（実施形態２）
次に、図１０を参照して、この発明の時計装置を電子腕時計に適用した実施形態２について説明する。なお、図１〜図８に示された実施形態１と同一部分には同一符号を付して説明する。
この電子腕時計は、図１０に示すように、押え部材５の下面に第１磁性シート１３を収納する第１収納凹部２０を設け、押え部材５の周縁部に側壁部２１をアンテナ８の側面に対応させて設け、この側壁部２１に第２磁性シート１４を収納する第２収納凹部２２を第１収納凹部２０と連続させて設けた構成で、これ以外は実施形態１とほぼ同じ構成になっている。
【００４２】
このような電子腕時計によれば、実施形態１と同様の作用効果があるほか、特に第１、第２磁性シート１３、１４が押え部材５の第１、第２収納凹部２０、２２内に位置決めされて収納されているので、第１、第２磁性シート１３、１４を押え部材５に確実に固定することができる。このため、腕時計ケース１の下面に裏蓋６を取り付けるときに、その裏蓋６の取付時における影響を受けずに、実施形態１よりも、より一層、第１、第２磁性シート１３、１４を正確に且つ確実にアンテナ８に対応させることができる。
【００４３】
（実施形態３）
次に、図１１および図１２を参照して、この発明の時計装置を電子腕時計に適用した実施形態３について説明する。この場合には、図１〜図８に示された実施形態１、および図１０に示された実施形態２と同一部分に同一符号を付して説明する。
この電子腕時計は、磁性シート部材２５が１枚の磁性シートを折り曲げることにより、第１、第２磁性シート２６、２７を一体に形成した構成で、これ以外は実施形態１、２とほぼ同じ構成になっている。
【００４４】
この場合にも、図１１に示すように、第１磁性シート２６はアンテナ８の下面に対応し、第２磁性シート２７はアンテナ８の側面に対応する。また、押え部材５は、実施形態２と同様、その下面に第１磁性シート２６を収納する第１収納凹部２０が設けられ、押え部材５の周縁部に側壁部２１がアンテナ８の側面に対応して設けられ、この側壁部２１に第２磁性シート２７を収納する第２収納凹部２２が第１収納凹部２０と連続して設けられた構成になっている。
【００４５】
このような電子腕時計によれば、実施形態１、２と同様の作用効果があるほか、特に磁性シート部材２５が１枚の磁性シートを折り曲げることにより、第１、第２磁性シート２６、２７を一体に形成した構成であるから、第１、第２磁性シート２６、２７の両者の連結部分に隙間が生じることがないため、金属製の裏蓋６および金属製の腕時計ケース１による電波障害を確実に防ぐことができ、これによりアンテナ８の受信性能を更に高めることができるほか、磁性シート部材２５が１枚の磁性シートで済むので、磁性シート部材２５としての部品点数を削減することができる共に、組込み作業の簡素化をも図ることができ、これにより生産性の向上を図ることができる。
【００４６】
（実施形態４）
次に、図１３を参照して、この発明の時計装置を電子腕時計に適用した実施形態４について説明する。この場合にも、図１〜図８に示された実施形態１、および図１０に示された実施形態２と同一部分に同一符号を付して説明する。
この電子腕時計は、図１３に示すように、押え部材５を成形するときに、磁性シート部材１２の第１、第２磁性シート１３、１４を押え部材５にインサート成形によって一体に設けた構成で、これ以外は実施形態１、２とほぼ同じ構成になっている。
【００４７】
この電子腕時計によれば、第１、第２磁性シート１３、１４が押え部材５にインサート成形によって一体に設けられていることにより、第１、第２磁性シート１３、１４をアンテナ８に対応する位置に正確に且つ確実に固定することができるほか、特に磁性シート部材１２が押え部材５と別部品として存在しないため、部品点数を削減することができると共に、押え部材５と同時に磁性シート部材１２を組み込むことができるので、より一層、組立作業性の向上を図ることができる。
【００４８】
なお、上記実施形態４では、磁性シート部材１２が第１、第２磁性シート１３、１４に分割されている場合について述べたが、これに限らず、実施形態３で述べたように、１枚の磁性シートを折り曲げることにより、第１、第２磁性シート２６、２７を一体に形成した磁性シート部材２５を押え部材５にインサート成形によって一体に設けても良い。このように構成すれば、磁性シート部材２５を簡単に且つ容易に押え部材５にインサート成形することができる。
【００４９】
（実施形態５）
次に、図１４を参照して、この発明の時計装置を電子腕時計に適用した実施形態５について説明する。この場合にも、図１〜図８に示された実施形態１と同一部分に同一符号を付して説明する。
この電子腕時計は、図１４に示すように、押え部材３０に磁性材３１を混入させた構成で、これ以外は実施形態１とほぼ同じ構成になっている。すなわち、押え部材３０は、樹脂で成形するときに、その樹脂中に磁性材３１を混入させて射出成形したものである。この場合にも、押え部材３０には、実施形態２の押え部材５と同様、複数の位置規制部１１が一体に形成されていると共に、アンテナ８の側面に対応する側壁部２１も一体に形成されている。
【００５０】
この電子腕時計によれば、実施形態１と同様、腕時計ケース１内に時計モジュール４を収納するときに、押え部材３０によって時計モジュール４を腕時計ケース１内に位置決めして押えることができるほか、特に押え部材３０に磁性材３１が混入されていることにより、この押え部材３０によってアンテナ８が金属製の裏蓋６および金属製の腕時計ケース１による電波障害の影響を受けないようにすることができ、これにより腕時計ケース１内に収納される時計モジュール４にアンテナ８を組み込んでも、アンテナ８の受信性能を確保することができる。この場合には、実施形態１〜４およびその変形例のように、磁性シート部材１２、２５が不要であるから、部品点数が少なく、組立て作業も簡単で、より一層の生産性の向上を図ることができる。
【００５１】
なお、上記実施形態５では、押え部材３０のほぼ全域に磁性材３１を混入させたが、これに限らず、例えば図１５に示すように、押え部材３０におけるアンテナ８に対応する箇所のみに磁性材３１を混入させた構成でも良い。この場合には、磁性材３１が混入する押え部材３０の部分と、磁性材３１が混入しない押え部材３０の部分とを、２色成形によって一体に成形すれば良い。このように構成すれば、実施形態５と同様、アンテナ８の受信性能を確保することができるほか、特に時計モジュール４に対する磁性材３１の影響を最小限に抑えることができる。
【００５２】
また、上記実施形態１〜５およびその変形例では、裏蓋６が腕時計ケース１内に嵌合する筒部６ｂの外周面に雄ねじ６ｃを設け、この雄ねじ６ｃを腕時計ケース１の内周面の雌ねじ１ａに裏蓋６を回転させながら螺着するねじ式構造の場合について述べたが、これに限らず、裏蓋は、複数のビスによって腕時計ケース１の下面に取り付けられる構造のものであっても良い。
【００５３】
さらに、上記実施形態１〜５およびその各変形例では、電子腕時計に適用した場合について述べたが、必ずしも電子腕時計である必要はなく、懐中時計、トラベルウォッチ、目覚まし時計、置き時計、掛け時計などの各種の電子時計に広く適用することができる。
【図面の簡単な説明】
【００５４】
【図１】この発明を適用した電子腕時計の拡大断面図である。（実施形態１）
【図２】図１の電子腕時計の下面から裏蓋を取り外した状態の裏面図である。
【図３】図２の電子腕時計から更に押え部材を取り外した状態の裏面図である。
【図４】図３の時計モジュールを示した裏面図である。
【図５】図２の押え部材を上下反転させた状態で要部を分解して示した斜視図である。
【図６】図５の押え部材を右斜め上方から見た分解斜視図である。
【図７】図５および図６の押え部材を示し、（ａ）はその平面図、（ｂ）はその側面図、（ｃ）はその裏面図である。
【図８】図１の押え部材に配置された磁性シート部材の付近を示した拡大断面図である。
【図９】実施形態１の変形例を示した要部の拡大断面図である。
【図１０】この発明を適用した電子腕時計の要部を示した拡大断面図である。（実施形態２）
【図１１】この発明を適用した電子腕時計の要部を示した拡大断面図である。（実施形態３）
【図１２】図１１の磁性シート部材を示した拡大斜視図である。
【図１３】この発明を適用した電子腕時計の要部を示した拡大断面図である。（実施形態４）
【図１４】この発明を適用した電子腕時計の要部を示した拡大断面図である。（実施形態５）
【図１５】実施形態５の変形例の要部を示した拡大断面図である。
【符号の説明】
【００５５】
１  腕時計ケース
４  時計モジュール
５、３０  押え部材
６  裏蓋
７  ハウジング
８  アンテナ
１１  位置規制部
１１ａ  嵌合部
１２、２５  磁性シート部材
１３、２６  第１磁性シート
１４、２７  第２磁性シート
１５、１８  段差凹部
１７  切欠け部
２０  第１収納凹部
２１  側壁部
２２  第２収納凹部
３１  磁性材
【図１】
0004655894.tif 000002
【図２】
0004655894.tif 000003
【図３】
0004655894.tif 000004
【図４】
0004655894.tif 000005
【図５】
0004655894.tif 000006
【図６】
0004655894.tif 000007
【図７】
0004655894.tif 000008
【図８】
0004655894.tif 000009
【図９】
0004655894.tif 000010
【図１０】
0004655894.tif 000011
【図１１】
0004655894.tif 000012
【図１２】
0004655894.tif 000013
【図１３】
0004655894.tif 000014
【図１４】
0004655894.tif 000015
【図１５】
0004655894.tif 000016